(57)【要約】  一つの側面として、バッテリパックの中央部に撓みが生じることを抑制することができるようにすることが目的である。  バッテリパックは、制御基板と、複数のバッテリセルと、制御基板及び複数のバッテリセルを収容するケースとを備えている。複数のバッテリセルは、制御基板を囲うように配置されている。ケースの周囲には、外側固定部が設けられており、ケースの中央部には、中央固定部が設けられている。
2014155719.tif 000002
【特許請求の範囲】
【請求項１】
制御基板と、
前記制御基板を囲うように配置された複数のバッテリセルと、
前記制御基板及び前記複数のバッテリセルを収容するケースと、
前記ケースの周囲に設けられた外側固定部と、
前記ケースの中央部に設けられた中央固定部と、
を備えたバッテリパック。
【請求項２】
前記中央固定部は、前記ケースの平面視にて前記制御基板と重なる位置に設けられている、
請求項１に記載のバッテリパック。
【請求項３】
前記ケースの厚み方向一方側の面及び他方側の面の少なくとも一方の面には、前記ケースの平面視にて前記制御基板と重なる位置に凹部が形成されている、
請求項１又は請求項２に記載のバッテリパック。
【請求項４】
前記ケースの内側の面には、前記凹部に起因する突部が形成され、
前記突部は、前記複数のバッテリセルによって囲まれた中央空間にそれぞれ挿入されている、
請求項３に記載のバッテリパック。
【請求項５】
前記複数のバッテリセルのうち少なくともいずれか隣り合うバッテリセルの間には、間隙が設けられている、
請求項１〜請求項４のいずれか一項に記載のバッテリパック。
【請求項６】
前記間隙には、前記制御基板から延びるバッテリケーブルが収容されている、
請求項５に記載のバッテリパック。
【請求項７】
前記ケースの厚み方向一方側の面又は他方側の面には、前記ケースの平面視にて前記制御基板と重なる位置に凹部が形成され、
前記ケースの厚み方向一方側の面及び他方側の面のうち前記凹部が形成された面には、前記ケースの平面視にて前記間隙と重なる位置に前記凹部と連通する溝部が形成されている、
請求項５又は請求項６に記載のバッテリパック。
【請求項８】
前記ケースの内側の面には、前記溝部に起因する突条部が形成され、
前記突条部は、前記間隙に挿入されている、
請求項７に記載のバッテリパック。
【請求項９】
前記ケースの内側の面には、複数の隔壁が形成され、
前記複数のバッテリセルは、前記複数の隔壁によって区画された複数の区画領域にそれぞれ配置されている、
請求項１〜請求項８のいずれか一項に記載のバッテリパック。
【請求項１０】
前記複数のバッテリセルの個数は、４個であり、
前記複数のバッテリセル及び前記ケースは、いずれも平面視にて四角形に形成され、
前記各バッテリセルは、前記各バッテリセルの横方向一方側の縁部と他の前記バッテリセルの縦方向一方側の縁部が前記ケースの各側壁に沿って並ぶように配置されている、
請求項１〜請求項９のいずれか一項に記載のバッテリパック。
【請求項１１】
前記複数のバッテリセルは、互いに同一の外形形状を有している、
請求項１０に記載のバッテリパック。
【請求項１２】
前記バッテリセルの縦方向他方側の縁部には、電極が設けられ、
前記電極と前記制御基板とは、結線部材により接続されている、
請求項１１に記載のバッテリパック。
【請求項１３】
請求項１〜請求項１２のいずれか一項に記載のバッテリパックと、
前記外側固定部及び前記中央固定部にて前記バッテリパックと固定されたカバーと、
を備えた電子機器。
【請求項１４】
前記カバーの中央部には、前記ケース側に突出するボス部が形成され、
前記中央固定部は、前記ケースにおける前記カバー側の壁部に形成され前記カバー側と反対側に膨出する膨出部と、前記膨出部の軸芯部を貫通する貫通孔と、前記ケースにおける前記カバー側と反対側の壁部に貫通して形成され前記貫通孔と連通する連通孔とを有し、
前記ボス部が前記膨出部の裏側の凹形状に挿入されると共に、前記連通孔及び前記貫通孔に挿入されたネジが前記ボス部に形成されたネジ穴に螺入されることにより、前記バッテリパックは、前記中央固定部にて前記カバーと固定されている、
請求項１３に記載の電子機器。
【請求項１５】
前記ケースの厚み方向一方側の面は、前記ケースにおける前記カバー側の面とされ、
前記ケースにおける前記カバー側の面には、前記ケースの平面視にて前記制御基板と重なる位置に凹状のオフセット凹部が形成され、
前記カバーにおける前記ケース側と反対側の面には、凹状の取付凹部が形成され、
前記カバーにおける前記ケース側の面には、前記取付凹部に起因する凸部が形成され、
前記凸部は、前記オフセット凹部に挿入されている、
請求項１３又は請求項１４に記載の電子機器。
【請求項１６】
前記取付凹部には、ラベルが取り付けられている、
請求項１５に記載の電子機器。
【請求項１７】
前記複数のバッテリセルのうち少なくともいずれか隣り合うバッテリセルの間には、間隙が設けられ、
前記ケースにおける前記カバー側の面又は前記カバー側と反対側の面には、前記ケースの平面視にて前記制御基板と重なる位置に凹部が形成され、
前記ケースにおける前記カバー側の面及び前記カバー側と反対側の面のうち前記凹部が形成された面には、前記ケースの平面視にて前記間隙と重なる位置に前記凹部と連通する溝部が形成され、
前記溝部及び前記凹部には、配線ケーブルが収容されている、
請求項１３〜請求項１６のいずれか一項に記載の電子機器。
【請求項１８】
前記バッテリパックは、前記カバーの中央部に設けられている、
請求項１３〜請求項１７のいずれか一項に記載の電子機器。
【請求項１９】
前記バッテリパックに対する前記カバー側と反対側には、表示ユニットが設けられている、
請求項１３〜請求項１８のいずれか一項に記載の電子機器。
【発明の詳細な説明】
【技術分野】
【０００１】
本願の開示する技術は、バッテリパック及び電子機器に関する。
【背景技術】
【０００２】
従来、制御基板と、バッテリセルと、制御基板及びバッテリセルを収容するケースとを備えたバッテリパックがある。
【先行技術文献】
【特許文献】
【０００３】
【特許文献１】特開２００４−２１４１１３号公報
【特許文献２】特開２００５−３１０４１９号公報
【発明の概要】
【発明が解決しようとする課題】
【０００４】
このようなバッテリパックは、ケースの周囲に設けられた外側固定部のみで例えばカバーなどの取付対象物に固定される場合がある。ところが、この場合には、バッテリパックに荷重や衝撃等が加わった際にバッテリパックの中央部に撓みが生じる虞がある。【０００５】
そこで、本願の開示技術は、一つの側面として、バッテリパックの中央部に撓みが生じることを抑制することができるようにすることを目的とする。
【課題を解決するための手段】
【０００６】
上記目的を達成するために、本願の開示する技術によれば、制御基板と、複数のバッテリセルと、制御基板及び複数のバッテリセルを収容するケースとを備えたバッテリパックが提供される。複数のバッテリセルは、制御基板を囲うように配置されている。ケースの周囲には、外側固定部が設けられており、ケースの中央部には、中央固定部が設けられている。
【発明の効果】
【０００７】
本願の開示する技術によれば、バッテリパックの中央部に撓みが生じることを抑制することができる。
【図面の簡単な説明】
【０００８】
【図１】電子機器の斜視図である。
【図２】電子機器の分解斜視図である。
【図３】下面カバーを下側から見た斜視図である。
【図４】バッテリパックを上側から見た斜視図である。
【図５】バッテリパックを下側から見た斜視図である。
【図６】バッテリパックの分解斜視図である。
【図７】上面ケースを下側から見た斜視図である。
【図８】上面ケースを外した状態でのバッテリパックの斜視図である。
【図９】結線部材の斜視図である。
【図１０】バッテリセルと制御基板との接続部における拡大斜視図である。
【図１１】電子機器の中央部における縦断面図である。
【図１２】電子機器の中央部からずれた位置での縦断面図である。
【図１３】上面カバーを外した状態での電子機器の平面図である。
【図１４】バッテリパックの変形例を示す斜視図である。
【図１５】上面ケースを外した状態でのバッテリパックの斜視図である。
【発明を実施するための形態】
【０００９】
以下、本願の開示する技術の一実施形態について説明する。
【００１０】
図１に示されるように、本実施形態に係る電子機器１０は、一例として、スレート型の情報処理端末とされている。この電子機器１０は、図２に示されるように、タッチパネル１２、表示ユニット１４、上面カバー１６、下面カバー１８、メインボード２０、サブボード２２、アンテナ２４、バッテリパック３０、及び、ラベル３２を備えている。
【００１１】
上面カバー１６は、平面視にて長方形の枠状に形成されている。表示ユニット１４は、例えば液晶表示器等とされている。この表示ユニット１４は、上面カバー１６の内側に組み付けられるものであり、上面カバー１６の内周部と略同じ大きさ及び形状の外形形状を有している。タッチパネル１２は、表示ユニット１４の表側に取り付けられるものであり、表示ユニット１４と略同じ大きさ及び形状で形成されている。
【００１２】
下面カバー１８は、「カバー」の一例である。この下面カバー１８は、平面視にて長方形に形成されており、平面視にて上面カバー１６と略同様の外形形状を有している。この下面カバー１８と上述の上面カバー１６とは、電子機器１０の厚み方向（Ｔ方向）に分割されている。
【００１３】
図３に示されるように、下面カバー１８の下面１８Ａ（上面カバー１６側と反対側の面）における中央部には、凹状の取付凹部３４が形成されている。この取付凹部３４は、平面視にて四角形に形成されている。この取付凹部３４の縦辺及び横辺は、それぞれ下面カバー１８の縦方向（Ｌ方向）及び横方向（Ｗ方向）に沿って延びている。この取付凹部３４の内側には、ラベル３２が配置されるようになっており、取付凹部３４は、ラベル３２よりも僅かに大きく形成されている。
【００１４】
また、図２に示されるように、下面カバー１８の上面１８Ｂ（上面カバー１６側の面）における中央部には、上述の取付凹部３４に起因する凸部３６が形成されている。この凸部３６は、上述の取付凹部３４と同様に、平面視にて四角形に形成されている。取付凹部３４に起因して凸部３６が形成されることにより、図３に示される取付凹部３４の底部の薄肉化が抑制されている。また、図２に示されるように、凸部３６の上面の中央部には、後述するバッテリパック３０のケース５８側に突出するボス部３８が形成されている。このボス部３８は、平面視にて円形に形成されており、ボス部３８の軸芯部には、上面カバー１６側に開口するネジ穴４０が形成されている（図１１も参照）。
【００１５】
メインボード２０は、平面視にて長方形に形成されている。このメインボード２０には、例えば表示ユニット１４の駆動を制御する電子部品等が実装されている。また、このメインボード２０からは、サブボード用ケーブル４４及びアンテナ用ケーブル４６が延びている。サブボード用ケーブル４４及びアンテナ用ケーブル４６は、「配線ケーブル」の一例である。アンテナ用ケーブル４６の一端には、アンテナ２４が接続されており、サブボード用ケーブル４４の一端には、サブボード２２が接続されている。サブボード２２には、例えば、拡張用のコネクタ等が実装される。
【００１６】
バッテリパック３０は、図６に示されるように、制御基板５２、複数のバッテリセル５４Ａ〜５４Ｄ、複数の結線部材５６、及び、ケース５８を備えている。
【００１７】
制御基板５２は、平面視にて四角形に形成されている。この制御基板５２は、後述する複数のバッテリセル５４Ａ〜５４Ｄよりも薄く形成されている。制御基板５２の中央部には、制御基板５２の厚み方向に貫通する孔６０が形成されている。この孔６０は、後述する下面ケース７６の中央部に形成された膨出部１１４を挿入できる径を有している。また、制御基板５２からは、バッテリケーブル６２が延びており、このバッテリケーブル６２の先端部には、コネクタ６４が設けられている。
【００１８】
複数のバッテリセル５４Ａ〜５４Ｄは、互いに同一の外形形状を有しており、好ましくは、互いに同一の製品とされている。この複数のバッテリセル５４Ａ〜５４Ｄは、いずれも平面視にて四角形（一例として長方形）に形成されている。また、この複数のバッテリセル５４Ａ〜５４Ｄは、板状に形成された薄型とされている。各バッテリセル５４Ａ〜５４Ｄにおける縦方向一方側の縁部５５Ａ及び縦方向他方側の縁部５５Ｂのうち他方側の縁部５５Ｂには、一対の電極６６が設けられている。
【００１９】
複数の結線部材５６は、一例として、互いに同一の形状とされている。各結線部材５６は、例えばフレキシブルケーブル等により形成されている。各結線部材５６は、図９に示されるように、端子部６８、配線部７０、及び、接続部７２を有している。端子部６８は、長尺状に形成されており、配線部７０に対して折り曲げられている。配線部７０は、端子部６０に沿って延びている。配線部７０からは一対の腕部７４が延びており、端子部６８は、一対の腕部７４の先端部に形成されている。また、接続部７２は、配線部７０の先端部に形成されている。
【００２０】
図６に示されるように、ケース５８は、平面視にて四角形に形成されている。このケース５８は、板状に形成された薄型とされている（図４，図５も参照）。このケース５８は、ケース５８の厚み方向（Ｔ方向）に分割された上面ケース７６及び下面ケース７８を有している。
【００２１】
上面ケース７６の上面７６Ａ（下面ケース７８側と反対側の面）には、一つの収容凹部８０と、一対の溝部８２Ａ，８２Ｂが形成されている。収容凹部８０は、上面ケース７６の上面７６Ａの中央部に形成されている。この収容凹部８０は、平面視にて四角形に形成されており、上述の制御基板５２と略同じ大きさか又は僅かに大きく形成されている。この収容凹部８０の縦辺及び横辺は、それぞれケース５８の縦方向（Ｌ方向）及び横方向（Ｗ方向）に沿って延びている。
【００２２】
一対の溝部８２Ａ，８２Ｂは、上面ケース７６の縦方向（Ｌ方向）に真っ直ぐに延びている。各溝部８２Ａ，８２Ｂの幅は、収容凹部８０の横幅よりも短くなっている。一方の溝部８２Ａは、収容凹部８０の横方向（Ｗ方向）の一方側に偏って形成されており、他方の溝部８２Ｂは、収容凹部８０の横方向の他方側に偏って形成されている。各溝部８２Ａ，８２Ｂの一端は、収容凹部８０と連通されており、各溝部８２Ａ，８２Ｂの他端は、上面ケース７６における縦方向（Ｌ方向）の両側の側面にそれぞれ開口している。この収容凹部８０及び一対の溝部８２Ａ，８２Ｂは、上面ケース７６の中央を中心に点対称に形成されている。
【００２３】
図７に示されるように、上面ケース７６の下面７６Ｂ（裏面）には、突部８４及び一対の突条部８６Ａ，８６Ｂが形成されている。突部８４は、上述の収容凹部８０（図６参照）に起因して形成されたものであり、一対の突条部８６Ａ，８６Ｂは、上述の一対の溝部８２Ａ，８２Ｂ（図６参照）にそれぞれ起因して形成されたものである。収容凹部８０に起因して突部８４が形成されることにより、図６に示される収容凹部８０の底部の薄肉化が抑制されている。同様に、一対の溝部８２Ａ，８２Ｂに起因して一対の突条部８６Ａ，８６Ｂがそれぞれ形成されることにより、図６に示される各溝部８２Ａ，８２Ｂの底部の薄肉化が抑制されている。
【００２４】
図６に示されるように、下面ケース７８は、四つの側壁８８Ａ，８８Ｂ，９０Ａ，９０Ｂを有している。四つの側壁８８Ａ，８８Ｂ，９０Ａ，９０Ｂは、下面ケース７８の周囲に形成されている。また、下面ケース７８の上面７８Ａ（上面ケース７６側の面）には、複数の隔壁９２Ａ，９２Ｂ，９３Ａ，９３Ｂ，９４Ａ，９４Ｂ，９５Ａ，９５Ｂが形成されている。
【００２５】
この複数の隔壁のうち隔壁９５Ａ，９５Ｂを除く隔壁９２Ａ，９２Ｂ，９３Ａ，９３Ｂ，９４Ａ，９４Ｂは、上述の収容凹部８０及び一対の溝部８２Ａ，８２Ｂの外形形状に沿って形成されている。隔壁９２Ａ，９３Ａの一端は、側壁８８Ａと接続されており、隔壁９２Ｂ，９３Ｂの一端は、側壁８８Ｂと接続されている。隔壁９５Ａ，９５Ｂは、隔壁９４Ａ，９４Ｂの一端から側壁９０Ａ，９０Ｂに向けて延びており、隔壁９５Ａ，９５Ｂの一端は、側壁９０Ａ，９０Ｂとそれぞれ接続されている。
【００２６】
隔壁９２Ａと隔壁９４Ｂ（隔壁９５Ｂ）とは、直角を成すように交わっており、隔壁９２Ｂと隔壁９４Ａ（隔壁９５Ａ）とは、直角を成すように交わっている。また、隔壁９３Ａと隔壁９４Ａとは、直角を成すように交わっており、隔壁９３Ｂと隔壁９４Ｂとは、直角を成すように交わっている。
【００２７】
隔壁９３Ａ，９４Ａ，９５Ａと側壁８８Ａ，９０Ａとは、第一のバッテリセル５４Ａを配置するための第一の区画領域９８Ａを形成している。隔壁９２Ａ，９５Ｂと側壁８８Ａ，９０Ｂとは、第二のバッテリセル５４Ｂを配置するための第二の区画領域９８Ｂを形成している。
【００２８】
同様に、隔壁９３Ｂ，９４Ｂ，９５Ｂと側壁８８Ｂ，９０Ｂとは、第三のバッテリセル５４Ｃを配置するための第三の区画領域９８Ｃを形成している。隔壁９２Ｂ，９５Ａと側壁８８Ｂ，９０Ａとは、第四のバッテリセル５４Ｄを配置するための第四の区画領域９８Ｄを形成している。
【００２９】
この第一から第四の区画領域９８Ａ〜９８Ｄは、平面視にて第一から第四のバッテリセル５４Ａ〜５４Ｄのそれぞれと同様の四角形状で形成されている。また、この第一から第四の区画領域９８Ａ〜９８Ｄは、第一から第四のバッテリセル５４Ａ〜５４Ｄを保持した状態で収容できるように、第一から第四のバッテリセル５４Ａ〜５４Ｄよりも僅かに大きな大きさで形成されている。
【００３０】
また、上述の第一から第四の区画領域９８Ａ〜９８Ｄの内側には、制御基板５２を配置するための中央領域１００が形成されている。この中央領域１００は、第一から第四の区画領域９８Ａ〜９８Ｄによって囲まれている。この中央領域１００は、平面視にて制御基板５２と同様の四角形状で形成されると共に、制御基板５２を保持した状態で収容できるように、制御基板５２よりも僅かに大きな大きさで形成されている。また、隔壁９４Ａ，９２Ａ，９４Ｂ，９２Ｂにおける中央領域１００を形成する部分には、切欠部１０２Ａ〜１０２Ｄがそれぞれ形成されている（図８も参照）。
【００３１】
さらに、図５に示されるように、下面ケース７８の下面７８Ｂには、凹状のオフセット凹部１０４が形成されている。このオフセット凹部１０４は、下面ケース７８の下面７８Ｂの中央部に形成されている。このオフセット凹部１０４の縦辺及び横辺は、それぞれ下面ケース７８の縦方向（Ｌ方向）及び横方向（Ｗ方向）に沿って延びている。
【００３２】
上述の下面カバー１８の上面１８Ｂに形成された凸部３６（図２参照）は、オフセット凹部１０４に挿入されるものであり、オフセット凹部１０４は、平面視にて凸部３６と略同様の四角形状で形成されると共に、凸部３６よりも僅かに大きな大きさで形成されている。また、このオフセット凹部１０４の深さ方向の寸法は、上述の凸部３６の高さ方向の寸法よりも僅かに大きく設定されている（図１１も参照）。
【００３３】
さらに、図６に示されるように、下面ケース７８の上面７８Ａにおける中央部には、上述のオフセット凹部１０４に起因する突部１０６が形成されている（図１１も参照）。この突部１０６は、オフセット凹部１０４と同様に、平面視にて四角形に形成されている。オフセット凹部１０４に起因して突部１０６が形成されることにより、図５に示されるオフセット凹部１０４の底部の薄肉化が抑制されている。
【００３４】
なお、図５に示されるオフセット凹部１０４は、「凹部」の一例であり、このオフセット凹部１０４が形成された下面ケース７８の下面７８Ｂは、「ケースの厚み方向一方側の面」及び「ケースにおけるカバー側の面」の一例である。
【００３５】
また、図４に示される収容凹部８０は、「凹部」の一例であり、この収容凹部８０が形成された上面ケース７６の上面７６Ａは、「ケースの厚み方向他方側の面」及び「ケースにおけるカバー側と反対側の面」の一例である。
【００３６】
また、図７に示される突部８４が形成された上面ケース７６の下面７６Ｂ、及び、図６に示される突部１０６が形成された下面ケース７８の上面７８Ａは、いずれも「ケースの内側の面」の一例である。
【００３７】
また、ケース５８には、複数の外側固定部１０８と、中央固定部１１０が設けられている。図８に示されるように、複数の外側固定部１０８は、ケース５８の周囲に設けられており、より具体的には、下面ケース７８における側壁８８Ａ，８８Ｂの両側の隅部にそれぞれ形成されている。各外側固定部１０８は、下面ケース７８の厚み方向（Ｔ方向）を厚み方向として下面ケース７８の外側に向けて延びる舌片状に形成されている。また、各外側固定部１０８には、下面ケース７８の厚み方向に貫通する孔１１２が形成されている。
【００３８】
図４，図５に示されるように、中央固定部１１０は、ケース５８の中央部に設けられている。この中央固定部１１０は、図１１に示されるように、下面ケース７８に形成された膨出部１１４及び貫通孔１１６と、上面ケース７６に形成された連通孔１１８とを有している。下面ケース７８の底壁部１２０は、ケース５８における下面カバー１８側の壁部を形成しており、膨出部１１４は、この下面ケース７８の底壁部１２０に形成されている。この膨出部１１４は、下面カバー１８側と反対側、すなわち、上面ケース７６側に膨出している。
【００３９】
貫通孔１１６は、ケース５８の厚み方向に沿って膨出部１１４の軸芯部を貫通している。上面ケース７６は、ケース５８における下面カバー１８側と反対側の壁部を形成しており、連通孔１１８は、上面ケース７６に貫通して形成されている。連通孔１１８は、貫通孔１１６と連通するように、貫通孔１１６と同軸上に形成されている。
【００４０】
この膨出部１１４、貫通孔１１６、及び、連通孔１１８は、いずれも平面視にて円形に形成されている。また、膨出部１１４の裏側には、凹形状１２２が形成されている。この凹形状１２２は、下面カバー１８側に開口しており、この下面カバー１８に形成された上述のボス部３８を挿入し得る大きさ及び形状で形成されている。
【００４１】
そして、このバッテリパック３０は、組立状態では、次のようになっている。すなわち、図８に示されるように、第一から第四のバッテリセル５４Ａ〜５４Ｄは、互いに同じ向きで第一から第四の区画領域９８Ａ〜９８Ｄに収容されている。
【００４２】
また、各バッテリセル５４Ａ〜５４Ｄは、各バッテリセルの横方向一方側の縁部と他のバッテリセルの縦方向一方側の縁部が下面ケース７８の各側壁に沿って並ぶように配置されている。具体的に言うと、バッテリセル５４Ａは、このバッテリセル５４Ａの横方向一方側の縁部５５Ｃと他のバッテリセル５４Ｂの縦方向一方側の縁部５５Ａが側壁８８Ａに沿って並ぶように配置されている。
【００４３】
同様に、バッテリセル５４Ｂは、このバッテリセル５４Ｂの横方向一方側の縁部５５Ｃと他のバッテリセル５４Ｃの縦方向一方側の縁部５５Ａが側壁９０Ｂに沿って並ぶように配置されている。また、バッテリセル５４Ｃは、このバッテリセル５４Ｃの横方向一方側の縁部５５Ｃと他のバッテリセル５４Ｄの縦方向一方側の縁部５５Ａが側壁８８Ｂに沿って並ぶように配置されている。さらに、バッテリセル５４Ｄは、このバッテリセル５４Ｄの横方向一方側の縁部５５Ｃと他のバッテリセル５４Ａの縦方向一方側の縁部５５Ａがケース５８の側壁９０Ａに沿って並ぶように配置されている。
【００４４】
また、第一のバッテリセル５４Ａにおける縦方向他方側の縁部５５Ｂに設けられた電極は、第二のバッテリセル５４Ｂ側に位置している。同様に、第二のバッテリセル５４Ｂにおける縦方向他方側の縁部５５Ｂに設けられた電極は、第三のバッテリセル５４Ｃ側に位置している。また、第三のバッテリセル５４Ｃにおける縦方向他方側の縁部５５Ｂに設けられた電極は、第四のバッテリセル５４Ｄ側に位置している。さらに、第四のバッテリセル５４Ｄにおける縦方向他方側の縁部５５Ｂに設けられた電極は、第一のバッテリセル５４Ａ側に位置している。
【００４５】
また、バッテリセル５４Ａとバッテリセル５４Ｂとの間には、間隙１２４Ａが設けられており、バッテリセル５４Ｃとバッテリセル５４Ｄとの間には、間隙１２４Ｂが設けられている。制御基板５２から延びるバッテリケーブル６２は、一対の間隙１２４Ａ，１２４Ｂのうち一方の間隙１２４Ｂに収容されている（図１２も参照）。バッテリケーブル６２の先端側は、側壁８８Ｂに形成された切欠き１２６を通じてケース５８の外部に引き出されており、コネクタ６４は、ケース５８の外部に位置している。
【００４６】
また、複数のバッテリセル５４Ａ〜５４Ｄの内側に位置する中央領域１００には、制御基板５２が配置されている。この制御基板５２は、複数のバッテリセル５４Ａ〜５４Ｄによって囲まれている。制御基板５２に形成された孔６０には、膨出部１１４が挿入されている。中央領域１００に制御基板５２が配置された状態において、制御基板５２及び膨出部１１４は、複数のバッテリセル５４Ａ〜５４Ｄの上面よりも低い位置に位置している（図１１も参照）。制御基板５２が下面ケース７８に組み付けられた状態において、膨出部１１４を有する中央固定部１１０は、ケース５８の平面視にて制御基板５２と重なる位置に設けられている。
【００４７】
第一から第四の結線部材５６は、第一から第四のバッテリセル５４Ａ〜５４Ｄにそれぞれ装着されている。具体的に言うと、図８に示されるように、第一のバッテリセル５４Ａと隔壁９３Ａとの間には、第一の結線部材５６の端子部６８が挿入されており、この端子部６８は、第一のバッテリセル５４Ａの電極と接触している。同様に、第二のバッテリセル５４Ｂと隔壁９５Ｂとの間には、第二の結線部材５６の端子部６８が挿入されており、この端子部６８は、第二のバッテリセル５４Ｂの電極と接触している。
【００４８】
また、第三のバッテリセル５４Ｃと隔壁９３Ｂとの間には、第三の結線部材５６の端子部６８が挿入されており、この端子部６８は、第三のバッテリセル５４Ｃの電極と接触している。また、第四のバッテリセル５４Ｄと隔壁９５Ａとの間には、第四の結線部材５６の端子部６８が挿入されており、この端子部６８は、第四のバッテリセル５４Ｄの電極と接触している。第一から第四の結線部材５６の接続部７２の先端部は、切欠き１０２Ａ〜１０２Ｄにそれぞれ挿入されると共に、制御基板５２と接続されている（図１０も参照）。
【００４９】
図４に示されるように、上面ケース７６は、下面ケース７８に組み付けられている。上面ケース７６が下面ケース７８に組み付けられた状態では、図１１に示されるように、収容凹部８０、収容凹部８０に起因する突部８４、オフセット凹部１０４、オフセット凹部１０４に起因する突部１０６が、いずれもケース５８の平面視にて制御基板５２と重なる位置に設けられている。
【００５０】
そして、突部８４，１０６は、複数のバッテリセル５４Ａ〜５４Ｄによって囲まれた中央空間１２８にそれぞれ挿入されている。また、上面ケース７６の下面７６Ｂに形成された突部８４の中央部は、膨出部１１４の天壁部と当接されており、突部８４の両端部は、隔壁９２Ａ，９２Ｂの上端部と当接されている。さらに、図１２に示されるように、突条部８６Ｂの両端部は、隔壁９２Ｂ，９３Ｂの上端部とそれぞれ当接されている。なお、特に図示しないが、図３に示される突条部８６Ａの両端部も、図２に示される隔壁９２Ａ，９３Ａの上端部とそれぞれ当接される。
【００５１】
また、図１２に示されるように、上面ケース７６が下面ケース７８に組み付けられた状態では、溝部８２Ｂが、ケース５８の平面視にて間隙１２４Ｂと重なる位置に設けられている。また、この溝部８２Ｂに起因する突条部８６Ｂは、間隙１２４Ｂに挿入されている。なお、特に図示しないが、上面ケース７６が下面ケース７８に組み付けられた状態では、図６に示される溝部８２Ａは、上面ケース７６が下面ケース７８に組み付けられた状態では、ケース５８の平面視にて間隙１２４Ａと重なる位置に配置される。また、この溝部８２Ａに起因する突条部８６Ａ（図７参照）は、間隙１２４Ａに挿入される。
【００５２】
また、本実施形態に係る電子機器１０は、組立状態では、次のようになっている。すなわち、図１３に示されるように、バッテリパック３０は、下面カバー１８の縦方向の中央部に設けられている。このバッテリパック３０は、バッテリケーブル６２が下面カバー１８の縦方向一方側に導出される向きに向けられている。
【００５３】
そして、図１１に示されるように、ボス部３８が膨出部１１４の裏側の凹形状１２２に挿入されると共に、取付凹部３４に起因する凸部３６がオフセット凹部１０４に挿入されることにより、バッテリパック３０が下面カバー１８の中央部に位置決めされている。また、図１３に示されるように、バッテリパック３０が下面カバー１８の中央部に配置された状態で、外側固定部１０８は、ネジ１３０により下面カバー１８に固定されている。また、中央固定部１１０は、ネジ１３２により下面カバー１８に固定されている。
【００５４】
この中央固定部１１０のネジ１３２は、より具体的には、図１１に示されるように、上面ケース７６の連通孔１１８及び膨出部１１４の貫通孔１１６に挿入される。また、連通孔１１８及び貫通孔１１６に挿入されたネジ１３２は、ボス部３８に形成されたネジ穴４０に螺入される。そして、このようにしてネジ１３２がネジ穴４０に螺入されることにより、バッテリパック３０は、中央固定部１１０にて取付対象物である下面カバー１８と固定されている。
【００５５】
図１３に示されるように、メインボード２０は、下面カバー１８の縦方向にバッテリパック３０と並んで配置されている。メインボード２０は、このメインボード２０の長辺が下面カバー１８の横方向（Ｗ方向）に沿う向きに向けられた状態で、下面カバー１８における縦方向一方側の側壁１３４Ａとバッテリパック３０との間に配置されている。アンテナ２４及びサブボード２２は、下面カバー１８における縦方向他方側の側壁１３４Ｂに沿って配置されている。メインボード２０、アンテナ２４、及び、サブボード２２は、図示しない固定構造により下面カバー１８に固定されている。
【００５６】
バッテリケーブル６２の先端部に設けられたコネクタ６４は、メインボード２０上に実装されたコネクタ１３６と接続されている。また、アンテナ２４に接続されたアンテナ用ケーブル４６及びサブボード２２に接続されたサブボード用ケーブル４４は、バッテリパック３０の上面ケース７６の上面７６Ａに形成された一対の溝部８２Ａ，８２Ｂ及び収容凹部８０に収容されている（図１２も参照）。サブボード用ケーブル４４及びアンテナ用ケーブル４６の先端部は、コネクタ１４０，１４２を介してメインボード２０に接続されている。
【００５７】
そして、図２に示されるタッチパネル１２及び表示ユニット１４が組み付けられた上面カバー１６は、下面カバー１８に組み付けられる。また、図１１に示されるように、ラベル３２は、取付凹部３４に収容された状態で取付凹部３４の底面に例えば貼り付け等により取り付けられている。上面カバー１６（図２参照）が下面カバー１８に取り付けられた状態では、表示ユニット１４が、バッテリパック３０に対する下面カバー１８側と反対側に設けられている。以上により、電子機器１０は完成する。
【００５８】
次に、本実施形態の作用及び効果について説明する。
【００５９】
以上詳述したように、本実施形態によれば、図１３に示されるように、バッテリパック３０のケース５８は、外側固定部１０８にて下面カバー１８に固定されることに加え、中央固定部１１０においても下面カバー１８に固定されている。従って、例えば電子機器１０の背面の中央部が指により押されたり電子機器１０が落下して強い衝撃を受けたりして、バッテリパック３０に荷重や衝撃等が加わった場合でも、バッテリパック３０の中央部に撓みが生じることを抑制することができる。
【００６０】
また、このようにバッテリパック３０の中央部に撓みが生じることを抑制することができるので、例えば電子機器１０の背面の中央部を指で押した場合でも、バッテリパック３０の中央部が表示ユニット１４（図１１参照）と干渉することを抑制することができる。また、バッテリパック３０に荷重や衝撃等が加わった場合でも、バッテリパック３０の中央部に撓みが生じることを抑制することができるので、バッテリパック３０の破損や、バッテリパック３０の周囲の部材の破損等を抑制することができる。
【００６１】
また、図６，図８に示されるように、中央固定部１１０は、ケース５８の平面視にて制御基板５２と重なる位置に設けられている。従って、中央固定部１１０と複数のバッテリセル５４Ａ〜５４Ｄとの干渉を抑制することができるので、中央固定部１１０をケース５８に効率良く設けることができる。
【００６２】
また、図１１に示されるように、下面ケース７８の下面７８Ｂに形成されたオフセット凹部１０４は、ケース５８の平面視にて制御基板５２と重なる位置に設けられている。同様に、上面ケース７６の上面７６Ａに形成された収容凹部８０も、ケース５８の平面視にて制御基板５２と重なる位置に設けられている。従って、下面カバー１８にオフセット凹部１０４に起因する突部１０６が形成されると共に、上面カバー１６に収容凹部８０に起因する突部８４が形成されていても、これらの突部８４，１０６が複数のバッテリセル５４Ａ〜５４Ｄと干渉することを抑制することができる。
【００６３】
また、オフセット凹部１０４に起因する突部１０６は、複数のバッテリセル５４Ａ〜５４Ｄによって囲まれた中央空間１２８に挿入されており、これにより、突部１０６と複数のバッテリセル５４Ａ〜５４Ｄとの干渉が抑制されている。同様に、収容凹部８０に起因する突部８４も、複数のバッテリセル５４Ａ〜５４Ｄによって囲まれた中央空間１２８に挿入されており、これにより、突部８４と複数のバッテリセル５４Ａ〜５４Ｄとの干渉が抑制されている。従って、ケース５８の薄型化、ひいては、バッテリパック３０の薄型化を図ることができる。
【００６４】
また、図８に示されるように、バッテリセル５４Ａとバッテリセル５４Ｂとの間、及び、バッテリセル５４Ｃとバッテリセル５４Ｄとの間には、それぞれ間隙１２４Ａ，１２４Ｂが設けられている。そして、この一対の間隙１２４Ａ，１２４Ｂのうちの一方の間隙１２４Ｂには、制御基板５２から延びるバッテリケーブル６２が収容されている。従って、複数のバッテリセル５４Ａ〜５４Ｄとバッテリケーブル６２との重なりを抑制することができるので、このことによっても、ケース５８の薄型化、ひいては、バッテリパック３０の薄型化を図ることができる。
【００６５】
また、図６に示される上面ケース７６の上面７６Ａに形成された溝部８２Ａ，８２Ｂは、ケース５８の平面視にて間隙１２４Ａ，１２４Ｂと重なる位置にそれぞれ形成されている。従って、溝部８２Ａ，８２Ｂに起因する突条部８６Ａ，８６Ｂ（図７参照）が上面カバー１６に形成されていても、この突条部８６Ａ，８６Ｂが複数のバッテリセル５４Ａ〜５４Ｄと干渉することを抑制することができる。
【００６６】
しかも、この溝部８２Ａ，８２Ｂに起因する突条部８６Ａ，８６Ｂ（図７参照）は、間隙１２４Ａ，１２４Ｂにそれぞれ挿入されており、これにより、突条部８６Ａ，８６Ｂと複数のバッテリセル５４Ａ〜５４Ｄとの干渉が抑制されている。従って、このことによっても、ケース５８の薄型化、ひいては、バッテリパック３０の薄型化を図ることができる。
【００６７】
また、図６に示されるように、下面ケース７８の上面７８Ａには、複数の隔壁９２Ａ，９２Ｂ，９４Ａ，９４Ｂ，９６Ａ，９６Ｂが形成されている。そして、複数のバッテリセル５４Ａ〜５４Ｄは、複数の隔壁９２Ａ，９２Ｂ，９４Ａ，９４Ｂ，９６Ａ，９６Ｂによって区画された複数の区画領域９８Ａ〜９８Ｄにそれぞれ配置されている。従って、複数のバッテリセル５４Ａ〜５４Ｄが複数の隔壁９２Ａ，９２Ｂ，９４Ａ，９４Ｂ，９６Ａ，９６Ｂによって支持されるので、複数のバッテリセル５４Ａ〜５４Ｄのがたつきを抑制することができる。
【００６８】
また、図１１に示されるように、下面カバー１８の下面１８Ａには、取付凹部３４が形成されており、ラベル３２は、この取付凹部３４に収容された状態で取り付けられている。従って、下面カバー１８の下面１８Ａからのラベル３２の出っ張りを抑制することができる。
【００６９】
しかも、取付凹部３４に起因する凸部３６は、オフセット凹部１０４に挿入されている。従って、下面ケース７８の下面７８Ｂと凸部３６との干渉を抑制することができるので、電子機器１０の薄型化を図ることができる。
【００７０】
また、図１３に示されるように、一対の溝部８２Ａ，８２Ｂ及び収容凹部８０には、サブボード用ケーブル４４及びアンテナ用ケーブル４６が収容されている。従って、サブボード用ケーブル４４及びアンテナ用ケーブル４６がバッテリパック３０から上方へ出っ張ることを抑制することができるので、このことによっても、電子機器１０の薄型化を図ることができる。さらに、サブボード用ケーブル４４及びアンテナ用ケーブル４６がバッテリパック３０から上方へ出っ張ることを抑制することにより、これらのケーブルが図１２に示される表示ユニット１４と干渉することも抑制することができる。
【００７１】
また、比重の高いバッテリパック３０は、電子機器１０（下面カバー１８の縦方向の中央部）に設けられている。従って、電子機器１０の重心が電子機器１０の中央部に位置されるので、電子機器１０を操作する際の電子機器１０のバランスを良好にすることができる。
【００７２】
次に、本実施形態の変形例について説明する。
【００７３】
本実施形態では、上面ケース７６の上面７６Ａに、収容凹部８０及び一対の溝部８２Ａ，８２Ｂが形成されていた。しかしながら、収容凹部８０が省かれると共に、一対の溝部８２Ａ，８２Ｂは、上面ケース７６の下面７６Ｂに形成されてオフセット凹部１０４と連通されていても良い。
【００７４】
また、本実施形態において、複数のバッテリセル５４Ａ〜５４Ｄの個数は、４個とされていたが、４個以外でも良い。例えば、図１４，図１５に示される変形例では、複数のバッテリセル５４Ａ〜５４Ｄの個数が２個とされている。この２個のバッテリセル５４Ａ〜５４Ｄは、制御基板５２を囲うように配置されている。
【００７５】
また、本実施形態において、電子機器１０は、スレート型の情報処理端末とされていたが、スレート型の情報処理端末以外でも良い。
【００７６】
以上、本願の開示する技術の一実施形態について説明したが、本願の開示する技術は、上記に限定されるものでなく、上記以外にも、その主旨を逸脱しない範囲内において種々変形して実施可能であることは勿論である。
【図１】
2014155719.tif 000003
【図２】
2014155719.tif 000004
【図３】
2014155719.tif 000005
【図４】
2014155719.tif 000006
【図５】
2014155719.tif 000007
【図６】
2014155719.tif 000008
【図７】
2014155719.tif 000009
【図８】
2014155719.tif 000010
【図９】
2014155719.tif 000011
【図１０】
2014155719.tif 000012
【図１１】
2014155719.tif 000013
【図１２】
2014155719.tif 000014
【図１３】
2014155719.tif 000015
【図１４】
2014155719.tif 000016
【図１５】
2014155719.tif 000017
【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
制御基板と、
前記制御基板を囲うように配置された複数のバッテリセルと、
前記制御基板及び前記複数のバッテリセルを収容するケースと、
前記ケースの周囲に設けられた外側固定部と、
前記ケースの中央部に設けられた中央固定部と、
を備えたバッテリパック。
【請求項２】
前記中央固定部は、前記ケースの平面視にて前記制御基板と重なる位置に設けられている、
請求項１に記載のバッテリパック。
【請求項３】
前記ケースの厚み方向一方側の面及び他方側の面の少なくとも一方の面には、前記ケースの平面視にて前記制御基板と重なる位置に凹部が形成されている、
請求項１又は請求項２に記載のバッテリパック。
【請求項４】
前記ケースの内側の面には、前記凹部に起因する突部が形成され、
前記突部は、前記複数のバッテリセルによって囲まれた中央空間にそれぞれ挿入されている、
請求項３に記載のバッテリパック。
【請求項５】
前記複数のバッテリセルのうち少なくともいずれか隣り合うバッテリセルの間には、間隙が設けられている、
請求項１〜請求項４のいずれか一項に記載のバッテリパック。
【請求項６】
前記間隙には、前記制御基板から延びるバッテリケーブルが収容されている、
請求項５に記載のバッテリパック。
【請求項７】
前記ケースの厚み方向一方側の面又は他方側の面には、前記ケースの平面視にて前記制御基板と重なる位置に凹部が形成され、
前記ケースの厚み方向一方側の面及び他方側の面のうち前記凹部が形成された面には、前記ケースの平面視にて前記間隙と重なる位置に前記凹部と連通する溝部が形成されている、
請求項５又は請求項６に記載のバッテリパック。
【請求項８】
前記ケースの内側の面には、前記溝部に起因する突条部が形成され、
前記突条部は、前記間隙に挿入されている、
請求項７に記載のバッテリパック。
【請求項９】
請求項１〜請求項８のいずれか一項に記載のバッテリパックと、
前記外側固定部及び前記中央固定部にて前記バッテリパックと固定されたカバーと、
を備えた電子機器。
【請求項１０】
前記ケースの厚み方向一方側の面は、前記ケースにおける前記カバー側の面とされ、
前記ケースにおける前記カバー側の面には、前記ケースの平面視にて前記制御基板と重なる位置に凹状のオフセット凹部が形成され、
前記カバーにおける前記ケース側と反対側の面には、凹状の取付凹部が形成され、
前記カバーにおける前記ケース側の面には、前記取付凹部に起因する凸部が形成され、
前記凸部は、前記オフセット凹部に挿入されている、
請求項９に記載の電子機器。
【請求項１１】
前記複数のバッテリセルのうち少なくともいずれか隣り合うバッテリセルの間には、間隙が設けられ、
前記ケースにおける前記カバー側の面又は前記カバー側と反対側の面には、前記ケースの平面視にて前記制御基板と重なる位置に凹部が形成され、
前記ケースにおける前記カバー側の面及び前記カバー側と反対側の面のうち前記凹部が形成された面には、前記ケースの平面視にて前記間隙と重なる位置に前記凹部と連通する溝部が形成され、
前記溝部及び前記凹部には、配線ケーブルが収容されている、
請求項９又は請求項１０に記載の電子機器。
【手続補正書】
【提出日】平成28年8月17日(2016.8.17)
【手続補正１】
【補正対象書類名】明細書
【補正対象項目名】０００６
【補正方法】変更
【補正の内容】
【０００６】
上記目的を達成するために、本願の開示する技術によれば、制御基板と、複数のバッテリセルと、制御基板及び複数のバッテリセルを収容する板状のケースとを備えたバッテリパックが提供される。複数のバッテリセルは、それぞれ板状であると共に制御基板の厚み方向を厚み方向として配置され、かつ、制御基板を囲うように配置されている。ケースの厚み方向周りの周囲には、取付対象物に固定される外側固定部が設けられており、ケースの厚み方向に沿って見た平面視にて制御基板と重なる位置には、取付対象物に固定される中央固定部が設けられている。
【手続補正２】
【補正対象書類名】特許請求の範囲
【補正対象項目名】全文
【補正方法】変更
【補正の内容】
【特許請求の範囲】
【請求項１】
制御基板と、
それぞれ板状であると共に前記制御基板の厚み方向を厚み方向として配置され、かつ、前記制御基板を囲うように配置された複数のバッテリセルと、
前記制御基板及び前記複数のバッテリセルを収容する板状のケースと、
前記ケースの厚み方向周りの周囲に設けられ、取付対象物に固定される外側固定部と、
前記ケースの厚み方向に沿って見た平面視にて前記制御基板と重なる位置に設けられ、前記取付対象物に固定される中央固定部と、
を備えたバッテリパック。
【請求項２】
前記ケースの厚み方向一方側の面及び他方側の面の少なくとも一方の面には、前記ケースの平面視にて前記制御基板と重なる位置に凹部が形成されている、
請求項１に記載のバッテリパック。
【請求項３】
前記ケースの内側の面には、前記凹部に起因する突部が形成され、
前記突部は、前記複数のバッテリセルによって囲まれた中央空間に挿入されている、
請求項２に記載のバッテリパック。
【請求項４】
前記複数のバッテリセルのうち少なくともいずれか隣り合うバッテリセルの間には、間隙が設けられている、
請求項１〜請求項３のいずれか一項に記載のバッテリパック。
【請求項５】
前記間隙には、前記制御基板から延びるバッテリケーブルが収容されている、
請求項４に記載のバッテリパック。
【請求項６】
前記ケースの厚み方向一方側の面又は他方側の面には、前記ケースの平面視にて前記制御基板と重なる位置に凹部が形成され、
前記ケースの厚み方向一方側の面及び他方側の面のうち前記凹部が形成された面には、前記ケースの平面視にて前記間隙と重なる位置に前記凹部と連通する溝部が形成されている、
請求項４又は請求項５に記載のバッテリパック。
【請求項７】
前記ケースの内側の面には、前記溝部に起因する突条部が形成され、
前記突条部は、前記間隙に挿入されている、
請求項６に記載のバッテリパック。
【請求項８】
請求項１〜請求項７のいずれか一項に記載のバッテリパックと、
前記外側固定部及び前記中央固定部にて前記バッテリパックと固定された前記取付対象物としてのカバーと、
を備えた電子機器。
【請求項９】
前記ケースの厚み方向一方側の面は、前記ケースにおける前記カバー側の面とされ、
前記ケースにおける前記カバー側の面には、前記ケースの平面視にて前記制御基板と重なる位置に凹状のオフセット凹部が形成され、
前記カバーにおける前記ケース側と反対側の面には、凹状の取付凹部が形成され、
前記カバーにおける前記ケース側の面には、前記取付凹部に起因する凸部が形成され、
前記凸部は、前記オフセット凹部に挿入されている、
請求項８に記載の電子機器。
【請求項１０】
前記複数のバッテリセルのうち少なくともいずれか隣り合うバッテリセルの間には、間隙が設けられ、
前記ケースにおける前記カバー側の面又は前記カバー側と反対側の面には、前記ケースの平面視にて前記制御基板と重なる位置に凹部が形成され、
前記ケースにおける前記カバー側の面及び前記カバー側と反対側の面のうち前記凹部が形成された面には、前記ケースの平面視にて前記間隙と重なる位置に前記凹部と連通する溝部が形成され、
前記溝部及び前記凹部には、配線ケーブルが収容されている、
請求項８又は請求項９に記載の電子機器。
【国際調査報告】
2014155719.tif 000018
2014155719.tif 000019
2014155719.tif 000020
2014155719.tif 000021